(57)【要約】      （修正有）【課題】郵便受けの投入口の形状、構造に左右されることなく確実に装着することができ、郵便受けから簡単に離脱することのない物件管理プレート兼投函拒否具を提供する。【解決手段】物件管理プレート兼投函拒否具１は、郵便受け６の投入口７に着脱可能に装着することによって投入口７を投函不能に閉塞することのできるもので、同時に物件の管理も行うものであり、投入口７を投入不能な状態に閉塞することのできる大きさの平板状の正面被覆部材１と、投入口７を通過可能な大きさで投入口７との背面部分に当接可能な係合部を有する平板状の背面支持部材と連結するネジを備え、投入口７に当接可能な係合部で配置されている。【選択図】図５
2008200465.tif 000002
【特許請求の範囲】
【請求項１】
郵便受けの投入口に着脱可能に装着して前記投入口を投函不能に閉塞する投函拒否具であって、同時に物件の管理も行うものであり、前記投入口を閉塞可能な正面被覆部材と、前記投入口を通過可能で前記投入口の周縁の背面部分に当接可能な係合部を有する背面支持部材と、前記正面被覆部材に前記背面支持部材を平行間隔および上下可能に連結するネジ部材とを備え、前記正面被覆部材の前記係合部と前記ネジ部材を固定し前記投入口え自在に変形する前記係合部による装着手段を設けたことを特徴とする物件管理プレート兼投稿拒否具。
【請求項２】
前記正面被覆部材と前記背面支持部材と平行位置を、上下に変位させるための変位手段を設けた請求項１記載の物件管理プレート兼投稿拒否具。
【発明の詳細な説明】
【技術分野】
【０００１】本発明は、不動産空き物件の告知と、郵便受けへの広告チラシなどの無断投入を拒否したい場合に、郵便受けの投入口に着脱可能に装着して使用する郵便受け用の物件管理兼投稿拒否具に関する。
【背景技術】
【０００２】マンションやアパートなどの集合住宅、オフィスビルあるいは一戸建て住宅には郵便物や各種配布物を受け取るために、いわゆる郵便受けが設けられている。これらの郵便受けは、マンションなどにおいては一階のロビー部分などに全戸分がまとめて配置されていることが多く、郵便配達人、新聞配達人あるいはチラシ配布業者な
2008200465.tif 000003
【０００３】ところが、近年、これらの郵便受けには無差別に広告チラシなどが投入されることが多くなったので、未入居や長期不在のため開かれることなく長時間放置されている郵便受けがあると、投入された広告チラシなどが内部に大量に蓄積するだけでなく、入りきれない広告チラシなどが投入口から溢れて周囲に散乱し、マンションなどの美観を損なう原因の一つになっている。また、未入居住宅などの郵便受けに投函された広告チラシなどはゴミとなるので資源の無駄であるとともに、ゴミ処理量を増やす原因となっている。【０００４】そこで、このような未入居住宅や長期不在の郵便受けへの広告チラシなどの無断投入を防止するための郵便受け用物件管理兼投稿拒否具を、未入居住宅や長期不在の郵便受けに取りつければ、チラシ配布業者、新居を探している人などへ告知できるため、広告チラシなどの無断投函をなくすことができる。
【発明の開示】
【発明が解決しようとする課題】
【０００５】特許第３０３６６３７号公報で開示されている投函拒否具は、投入口の下縁が所定深さの直角折曲加工になる投入口断面構造を有する郵便受けでないと取りつけることができないので、その用途が限定されている。近年、新築マンションなどは美観が重視されるようになり、その投入口の形状、構造もさまざまであるため、前記公報に開示された投函拒否具を取りつけることのできない郵便受けが増加しているのが現状である。【０００６】また、前記投函拒否具は屈折爪を用いて投入口に固定するものであるため、着脱容易である反面、いたずらなどによって簡単に取り外されたり、盗まれたりするおそれがある。【０００７】本発明は従来の投函拒否具の機能向上を図るためになされたものであり、本発明が解決しようとする課題は、郵便受けの投入口の形状、構造に左右されることなく確実に装着することができ、郵便受けから簡単に離脱することのない投函拒否具を提供することにある。
【課題を解決するための手段】
【発明の効果】
【０００８】本発明の投函拒否具は、郵便受けの投入口に着脱可能に装着して前記投入口を投函不能に閉塞する物件管理兼投函拒否具であって、前記投入口を閉塞可能な正面被覆部材と、前記投入口を通過可能で前記投入口の周縁の背面部分に当接可能な係合部を有する背面支持部材と、前記正面被覆部材と前記背面支持部材とを平行間隔および上下可能に連結するネジ部材とを備え、前記正面被覆部材の前記係合部と前記ネジ部材を固定し前記投入口え自在に変形する前記係合部による装着手段を設けたことにより、郵便受けの投入口の形状、構造に左右されることなく確実に装着することが可能となり、郵便受けから簡単に離脱することもなくなる。
【発明を実施するための最良の形態】
【０００９】図１は本発明の第１実施形態である投函拒否具を示す正面図、図２は、投函拒否具を物件表示シールを貼っていない正面図、図３は図１におけるＡ１−Ａ２線断面図である、図４は図２におけるＢ１−Ｂ２線断面図である、図５図６は前記投函拒否具の使用状態を示す正面図、図７は図５におけるＣ１−Ｃ２線断面図である、図８は図６におけるＤ１−Ｄ２線断面図である。【００１０】本実施形態の投函拒否具は、図７図８に示すように、郵便受け６と９の投入口７と８に着脱投函拒否具は、図１〜図４に示すように、郵便受けの投入口を投入不能な状態に閉塞することのできる程度の大きさの平板状の正面被覆部材１と、投入口を通過可能な大きさで投入口７と８の背面部分に当接可能な係合部を有する平板状の背面支持部材２と、正面被覆部材１と背面支持部材２とを左右並行および上下変更可能に連結するネジ部材３を備えている。【００１１】また、背面支持部材２においては、ステンレス鋼〔ＳＵＳ３０４ＣＳＰ〕を使用することにより、容易に曲げることができ形状を保つことができる。【００１２】投函拒否具１には、背面支持部材２を固定するためのネジ部材３を設置するためのネジ穴５が左右対象に等間隔で無数に備わっている。【００１３】投函拒否具１を郵便受け６と９に装着する場合、図７と図８に示すように、郵便受けの形状や大きさに合わせて、背面支持部材２をネジ部材３で適したネジ穴５に固定し、郵便受け６と９の形状に合った形で背面支持部材２の係合部を曲げこむことにより、安定した装着状態が得られ物件の告知と外観性も良好となる。
【実施例】
【００１４】ネジ部材は、正面被覆部材と背面支持部材と左右対象に上下を変更可能に連結するものであるため、投入口の周縁の厚さ、形状などが多少変動しても、背面支持部材と正面被覆部材との取りつけ位置を上下に調節することと係合部を曲げて郵便受けの形状に合わせることで、郵便受けの投入口の形状、構造に左右されず確実に装着することができる。
【産業上の利用可能性】
【００１５】前記正面被覆部材と前記背面支持部材を左右対象上下自在にネジ部材で固定し、背面支持部材の係合部を曲げることによりあらえる形状の郵便受けに容易に着脱することができ安定した装着状態が得られる。
【図面の簡単な説明】
【００１６】
【図１】本発明の第一実説形態である物件管理兼投函拒否具を示す正面図である。
【図２】物件管理用告知シールを張ってない状態を示す正面図である。
【図３】図１に示すＡ１−Ａ２線断面図である。
【図４】図２に示すＢ１−Ｂ２線断面図である。
【図５】図１に示す物件管理兼投函拒否具の使用状態を示す正面図である。
【図６】図１に示す物件管理兼投函拒否具の使用状態を示す正面図である。
【図７】図５に示すＣ１−Ｃ２線断面図である。
【図８】図６に示すＤ１−Ｄ２線断面図である。
【符号の説明】
１は物件管理兼投函拒否具
２は背面支持部材
３はネジ部材
４は物件管理用の告知シール
５は背面支持部材の装着用ネジ穴
６は郵便受け
７は郵便受け口ふた
８は集合郵便受け口
９は集合郵便受け
１０は郵便受けが設置されているドア
【図１】
2008200465.tif 000004
【図２】
2008200465.tif 000005
【図３】
2008200465.tif 000006
【図４】
2008200465.tif 000007
【図５】
2008200465.tif 000008
【図６】
2008200465.tif 000009
【図７】
2008200465.tif 000010
【図８】
2008200465.tif 000011